(57)【要約】【課題】通話品質を低下させることなく音声パケット及び非音声パケットを送信できるゲートウェイ装置を提供する。【解決手段】遅延測定用パケットを生成してこれを中継し、当該遅延測定用パケットの中継に伴って生じた遅延時間を実測遅延時間として測定して、当該実測遅延時間が許容遅延時間長を超えている場合に非音声パケットの当該中継部への供給タイミングを制御する。【選択図】図１
2012209851.tif 000002
【特許請求の範囲】
【請求項１】
電話網と協働して音声パケットを送受信する音声パケット送受信部と、非音声パケットを送受信する非音声パケット送受信部と、前記音声パケット送受信部及び非音声パケット送受信部とインターネットとの間において前記音声パケット及び非音声パケットを順次中継する中継部と、を含むゲートウェイ装置であって、
前記音声パケット送受信部は、遅延測定用パケットを生成してこれを前記中継部に供給する遅延測定用パケット生成部を含み、
前記中継部は、前記遅延測定用パケットの中継に伴って生じた遅延時間を実測遅延時間として測定する遅延測定部を含み、
前記非音声パケット送受信部は、前記実測遅延時間が許容遅延時間長を超えている場合に前記非音声パケットの前記中継部への供給タイミングを制御する供給タイミング制御部を含むことを特徴とするゲートウェイ装置。
【請求項２】
前記遅延測定用パケット生成部は、前記遅延測定用パケットの生成時点データを前記遅延測定用パケットに含めて前記中継部に供給し、
前記遅延測定部は、前記中継部による前記遅延測定用パケットの中継完了時点を検出して、前記中継完了時点と前記遅延測定用パケットに含まれる前記生成時点データによって示される生成時点との差を前記実測遅延時間とすることを特徴とする請求項１に記載のゲートウェイ装置。
【請求項３】
前記供給タイミング制御部は、前記非音声パケットの送出の遅延、前記非音声パケットの送出間隔の調整、及び前記非音声パケットの分割のうちのいずれかによって前記供給タイミングを制御することを特徴とする請求項１に記載のゲートウェイ装置。
【発明の詳細な説明】
【技術分野】
【０００１】
本発明は、通信網に対して音声パケット及び非音声パケットを中継するゲートウェイ装置に関する。
【背景技術】
【０００２】
従来、例えばＡＴＣＡ(Advanced Telecom Computing Architecture)などの規格に従って複数のブレードを搭載したゲートウェイ装置が知られている（例えば特許文献１）。音声パケットを中継するゲートウェイ装置の場合、音声処理を行うためのブレードの他に、例えば、音声以外の受信データを蓄積するためのブレード、装置制御ためのブレードなど、処理単位毎の複数のブレードを含む。これらのブレードは、自身が生成又は蓄積したデータをパケットによりスイッチブレードを介して通信網へ送出自在である。スイッチブレードは、ブレードの各々から供給されるパケットを通信網に送出する際に、単位時間当たりの送出量が通信網の制限帯域を超えないようにパケットの送出を調整し、ネットワークにおける輻輳の度合いを調整している。
【先行技術文献】
【特許文献】
【０００３】
【特許文献１】特開２０１０−７４６２９号公報
【発明の概要】
【発明が解決しようとする課題】
【０００４】
従来のスイッチブレードは、音声パケットと非音声パケットの区別なく、各ブレードから供給されたパケットを順に送出することによって単位時間当たりの送出量を調整しているので、非音声パケットのデータ量が大きい場合や非音声パケットを供給するブレードの数が多い場合には、音声パケットの遅延量が大きくなってしまう。音声通話はリアルタイム性を要求される通信であり、音声パケットの遅延量が大きい場合にはパケットのいわゆる揺らぎが生じ、通話品質が低下してしまう。
【０００５】
本発明は上記した如き問題点に鑑みてなされたものであって、通話品質を低下させることなく音声パケット及び非音声パケットを送信できるゲートウェイ装置を提供することを目的とする。
【課題を解決するための手段】
【０００６】
本発明によるゲートウェイ装置は、電話網と協働して音声パケットを送受信する音声パケット送受信部と、非音声パケットを送受信する非音声パケット送受信部と、前記音声パケット送受信部及び非音声パケット送受信部とインターネットとの間において前記音声パケット及び非音声パケットを順次中継する中継部と、を含むゲートウェイ装置であって、前記音声パケット送受信部は、遅延測定用パケットを生成してこれを前記中継部に供給する遅延測定用パケット生成部を含み、前記中継部は、前記遅延測定用パケットの中継に伴って生じた遅延時間を実測遅延時間として測定する遅延測定部を含み、前記非音声パケット送受信部は、前記実測遅延時間が許容遅延時間長を超えている場合に前記非音声パケットの前記中継部への供給タイミングを制御する供給タイミング制御部を含むことを特徴とする。
【発明の効果】
【０００７】
本発明によるゲートウェイ装置によれば、通話品質を低下させることなく音声パケット及び非音声パケットを送信できる。
【図面の簡単な説明】
【０００８】
【図１】本発明の実施例であるゲートウェイ装置の構成を示すブロック図である。
【図２】ゲートウェイ装置によるパケット出力制御処理の動作を示すフローチャートである。
【図３】パケット出力制御完了前におけるパケットの出力タイミングを示すタイムチャートである。
【図４】パケット出力制御完了後におけるパケットの出力タイミングを示すタイムチャートである。
【発明を実施するための形態】
【０００９】
以下、本発明に係る実施例について添付の図面を参照しつつ詳細に説明する。
【００１０】
図１には、本発明の実施例であるゲートウェイ装置１の構成が示される。ゲートウェイ装置１は、ＩＰネットワーク５０と電話網６０との間でパケットを中継する装置である。
【００１１】
制御ブレード１０は、ゲートウェイ装置１全体の制御を行うためのブレードであり、また、制御のための非音声パケットを送受信する非音声パケット送受信部である。
【００１２】
クロック生成部１１は、クロック信号を生成し、これをゲートウェイ装置１内の各ブレードに供給する。
【００１３】
パケット送出制御部１２は、スイッチブレード４０のパケット揺らぎ抑制制御部４５から供給される指示に応じて、ファイル管理部１３によるスイッチブレード４０への制御パケットの供給を制御する。なお、パケット送出制御部１２を供給タイミング制御部とも称する。
【００１４】
ファイル管理部１３は、各種制御のためのファイルを保持し、当該ファイルに基づく処理によって生成した制御パケットをスイッチブレード４０に供給する。
【００１５】
装置制御部１４は、スイッチブレード４０のネットワークスイッチ（以下、ＮＷスイッチと称する）４２を介して，スイッチブレード４０のＰＫＧ制御部４１，音声処理ブレード３０のＰＫＧ制御部３１，及びデータ蓄積・送出ブレード２０のＰＫＧ制御部２１に制御パケットを送出し，ゲートウェイ装置１全体の制御を行う。
【００１６】
システム内時刻管理部１５は、クロック生成部１１から供給されるクロック信号に同期して、ゲートウェイ装置１内における共通の時刻を管理する。
【００１７】
データ蓄積・送出ブレード２０は、ＩＰネットワーク５０を介して到来した非音声データを蓄積してこれをスイッチブレード４０へ供給するためのブレードであり、また、蓄積データを非音声パケットにより送受信する非音声パケット送受信部である。
【００１８】
ＰＫＧ制御部２１は、データ蓄積・送出ブレード２０の各部の制御を行なう。
【００１９】
システム内時刻管理部２２は、制御ブレード１０のクロック生成部１１から供給されるクロック信号に同期して、ゲートウェイ装置１内における共通の時刻を管理する。
【００２０】
パケット送出制御部２３は、スイッチブレード４０のパケット揺らぎ抑制制御部４５から供給される指示に応じて、蓄積・送出部２４によるスイッチブレード４０への蓄積パケットの供給を制御する。なお、パケット送出制御部２３を供給タイミング制御部とも称する。
【００２１】
蓄積・送出部２４は、ＩＰネットワーク５０を介して到来した非音声データを蓄積し、これをスイッチブレード４０へ供給自在である。
【００２２】
音声処理ブレード３０は、通話音声処理を行うためのブレードであり、電話網６０と協働して音声パケットを送受信する音声パケット送受信部である。
【００２３】
ＰＫＧ制御部３１は、音声処理ブレード３０の各部の制御を行なう。
【００２４】
システム内時刻管理部３２は、制御ブレード１０のクロック生成部１１から供給されるクロック信号に同期して、ゲートウェイ装置１内における共通の時刻を管理する。
【００２５】
遅延測定用パケット生成部３３は、スイッチブレード４０における遅延時間を測定するためのパケット（以下、遅延測定用パケットと称する）を生成し、これをＮＷスイッチ４２へ供給する。遅延測定用パケットには、遅延測定用パケットであることを識別するための固有のパケット識別データが含められる。パケット識別データは、パケットヘッダ内やペイロード内に含めることができる。
【００２６】
遅延測定用パケット生成部３３は、遅延測定用パケットの生成時点における現在時刻（以下、生成時刻と称する）をシステム内時刻管理部３２から取得して、これを示す生成時刻データを遅延測定用パケット内に含めてからＮＷスイッチ４２へ供給する。
【００２７】
音声処理部３４は、電話網６０を介して到来した音声ＴＤＭデータを所定のパケット化周期で音声パケット化して、これをスイッチブレード４０へ供給する。また、音声処理部３４は、スイッチブレード４０からの音声パケットを音声ＴＤＭデータに変換してこれを電話網６０に送信する。
【００２８】
スイッチブレード４０は、ブレード１０、２０及び３０とＩＰネットワーク５０との間において音声パケット及び非音声パケットを順次中継する中継部である。
【００２９】
ＰＫＧ制御部４１は、スイッチブレード４０の各部の制御を行なう。
【００３０】
ＮＷスイッチ４２は、ＩＰネットワーク５０と電話網６０との間で音声パケットを中継する。ＮＷスイッチ４２は、単位時間当たりのパケットの送信量がＩＰネットワーク５０における帯域制限を超えないように、制御ブレード１０、データ蓄積・送出ブレード２０、及び音声処理ブレード３０の各々から到来したパケットを到来順に出力する。
【００３１】
システム内時刻管理部４３は、制御ブレード１０のクロック生成部１１から供給されるクロック信号に同期して、ゲートウェイ装置１内における共通の時刻を管理する。
【００３２】
遅延測定部４４は、遅延測定用パケットのスイッチブレード４０における遅延時間を測定する。当該遅延時間は、音声処理ブレード３０から遅延測定用パケットをスイッチブレード４０のＮＷスイッチ４２へ供給した時点から、ＮＷスイッチ４２が当該パケットを出力する時点までの時間である。遅延測定部４４は、ＮＷスイッチ４２から出力されるパケットの各々について、遅延測定用パケットであることを示すパケット識別データが含まれているか否かを判定して、遅延測定用パケットを識別する。
【００３３】
遅延時間の測定は、以下のようになされる。遅延測定部４４は、ＮＷスイッチ４２からの遅延測定用パケットの出力時点すなわち中継完了時点を検出し、当該時点における現在時刻（以下、出力時刻と称する）をシステム内時刻管理部４３から取得する。また、遅延測定部４４は、遅延測定用パケットに含まれる生成時刻データを取得する。そして、遅延測定部４４は、出力時刻と生成時刻データが示す生成時刻との差分を求め、これを遅延時間とする。
【００３４】
パケット揺らぎ抑制制御部４５は、遅延測定部４４による遅延時間の測定結果に応じて、非音声パケットの出力制御を行なう。パケット揺らぎ抑制制御部４５は、遅延測定部４４によって測定された遅延時間が所定の許容遅延時間長を超えていると判定した場合に、制御ブレード１０のパケット送出制御部１２と、データ蓄積・送出ブレード２０のパケット送出制御部２３とに対して、パケット揺らぎ抑制のための指示を発する。当該指示は、例えば、非音声パケットの送出の遅延、非音声パケットの送出間隔の調整、及び非音声パケットの分割のうちのいずれかを指示するものである。
【００３５】
図２〜図４を参照しつつ、ゲートウェイ装置１によるパケット出力制御処理について説明する。
【００３６】
前提として、音声処理部３４は、電話網６０を介して到来した音声ＴＤＭデータを所定のパケット化周期で音声パケット化して、これをスイッチブレード４０へ供給している。図３を参照すると、音声パケットａ０が時刻ｔ０、音声パケットａ１が時刻ｔ１、・・・、音声パケットａ５が時刻ｔ５において音声処理ブレード３０から出力されている。時刻ｔ０〜ｔ１、時刻ｔ１〜ｔ２、・・・、時刻ｔ４〜ｔ５の各間隔ｔｉｎｔは同一であり、音声処理部３４による所定のパケット化周期に対応している。また、データ蓄積・送出ブレード２０の蓄積・送出部２４は、蓄積パケットｂ０〜ｂ２をスイッチブレード４０へ間欠的に供給している。制御ブレード１０のファイル管理部１３は、制御パケットｃ０〜ｃ２をスイッチブレード４０へ間欠的に供給している。
【００３７】
先ず、遅延測定用パケット生成部３３は、遅延測定用パケットを生成し、これをスイッチブレード４０へ供給する（ステップＳ１）。この際、遅延測定用パケット生成部３３は、当該生成時点における現在時刻をシステム内時刻管理部３２から取得し、これを生成時刻として遅延測定用パケットに含めてから供給する。図３を参照すると、時刻ｔ１ａにおいて遅延測定用パケット生成部３３により遅延測定用パケットｄ０が生成され、音声処理ブレード３０から出力されている。この場合、遅延測定用パケットｄ０は、音声パケットａ１と音声パケットａ２との間に出力される。
【００３８】
スイッチブレード４０のＮＷスイッチ４２は、制御ブレード１０、データ蓄積・送出ブレード２０、及び音声処理ブレード３０の各々から到来したパケットを到来順に出力する。図３を参照すると、スイッチブレード４０からは、音声パケットａ０、蓄積パケットｂ０、制御パケットｃ０、音声パケットａ１、蓄積パケットｂ１、遅延測定用パケットｄ０の順に出力されている。
【００３９】
時間ｔｄは、音声パケットａ０が音声処理ブレード３０において生成された時刻ｔ０から、音声パケットａ０がスイッチブレード４０から出力された時刻ｔｓ０までの時間であり、非音声パケットの影響を受けていないときの装置内遅延時間である。時間ｔｙ３は、遅延測定用パケットｄ０が音声処理ブレード３０において生成された時刻ｔ１ａから、遅延測定用パケットｄ０がスイッチブレード４０から出力された時刻ｔｓ１までの時間であり、他のパケットの影響を受けたときの装置内遅延時間である。
【００４０】
スイッチブレード４０の遅延測定部４４は、遅延測定用パケットｄ０がＮＷスイッチ４２から出力された時点における現在時刻をシステム内時刻管理部４３から出力時刻ｔｓ１として取得する。また、遅延測定部４４は、遅延測定用パケットｄ０に含まれる生成時刻ｔ１ａを取得する（ステップＳ２）。
【００４１】
遅延測定部４４は、出力時刻ｔｓ１と生成時刻ｔ１ａとの差分を遅延時間ｔｙ３として算出する（ステップＳ３）。そして、遅延測定部４４は、遅延時間ｔｙ３が所定の許容遅延時間長を超えているか否かを判定する（ステップＳ４）。許容遅延時間長は、例えば、音声処理ブレード３０における音声パケットの出力間隔ｔｉｎｔの３倍に設定され得る。
【００４２】
遅延測定部４４は、遅延時間ｔｙ３が許容遅延時間長以下であると判定した場合、図２に示されるパケット出力制御処理を終了する（ステップＳ４）。パケット揺らぎ抑制制御部４５は、遅延時間ｔｙ３が許容遅延時間長を超えていると判定した場合、非音声パケットの出力制御を行なう（ステップＳ５）。詳細には、パケット揺らぎ抑制制御部４５は、制御ブレード１０のパケット送出制御部１２と、データ蓄積・送出ブレード２０のパケット送出制御部２３とに対して、非音声パケット出力制御のための指示を発する。当該指示は、例えば、非音声パケットの送出の遅延、非音声パケットの送出間隔の調整、及び非音声パケットの分割のうちのいずれかを指示するものである。
【００４３】
図４には、当該指示によって蓄積パケット及び制御パケットの送出間隔が拡大されたときのタイムチャートが示される。
【００４４】
音声処理部３４は、上記動作と同様に、電話網６０を介して到来した音声ＴＤＭデータを所定のパケット化周期で音声パケット化して、これをスイッチブレード４０へ供給している。図４を参照すると、音声パケットａ１６が時刻ｔ１６、音声パケットａ１７が時刻ｔ１７、・・・、音声パケットａ２１が時刻ｔ２１において音声処理ブレード３０から出力されている。音声パケット同士の間隔ｔｉｎｔは同一であり、音声処理部３４による所定のパケット化周期に対応している。
【００４５】
データ蓄積・送出ブレード２０のパケット送出制御部２３は、遅延測定部４４からの非音声パケット送出間隔の拡大指示に応じて、蓄積・送出部２４のパケット送出動作を制御する。詳細には、パケット送出制御部２３は、蓄積・送出部２４による蓄積パケットｂ２と蓄積パケットｂ３との間の送出間隔を拡大する。すなわち、パケット送出制御部２３は、蓄積・送出部２４による蓄積パケットｂ３の送出タイミングを遅らせる。パケット送出制御部２３は、蓄積パケットｂ３以降の各蓄積パケット（図示せず）についても同様に送出タイミングを遅らせて、送出間隔を拡大することもできる。
【００４６】
制御ブレード１０のパケット送出制御部１２は、遅延測定部４４からの非音声パケット送出間隔の拡大指示に応じて、ファイル管理部１３のパケット送出動作を制御する。詳細には、パケット送出制御部１２は、ファイル管理部１３による制御パケットｃ２と制御パケットｃ３との間の送出間隔を拡大する。すなわち、パケット送出制御部１２は、ファイル管理部１３による制御パケットｃ３の送出タイミングを遅らせる。パケット送出制御部１２は、制御パケットｃ３以降の各制御パケット（図示せず）についても同様に送出タイミングを遅らせて、送出間隔を拡大することもできる。
【００４７】
当該送出間隔は、パケット揺らぎ抑制制御部４５がパケット送出制御部２３及びパケット送出制御部１２の各々に対して送出時刻を指示することによって設定され得る。パケット揺らぎ抑制制御部４５は、例えば、図４に示されるように、蓄積パケットの送出時刻ｔｕ１と制御パケットの送出時刻ｔｕ２との間隔ｔｕｍが、音声パケットの出力間隔ｔｉｎｔの３倍となるように各送出時刻を指示し得る。
【００４８】
データ蓄積・送出ブレード２０のパケット送出制御部２３は、システム内時刻管理部２２における現在時刻が送出時刻ｔｕ１となったときに蓄積・送出部２４に対してパケット送出を指示する。制御ブレード１０のパケット送出制御部１２は、システム内時刻管理部１５における現在時刻が送出時刻ｔｕ２となったときに制御パケットを送出する。なお、システム内時刻管理部２２及び１５の各々は、制御ブレード１０のクロック生成部１１から供給されたクロック信号に同期して現在時刻を管理しており、両現在時刻は一致している。
【００４９】
スイッチブレード４０のＮＷスイッチ４２は、制御ブレード１０、データ蓄積・送出ブレード２０、及び音声処理ブレード３０の各々から到来したパケットを到来順に出力する。図４を参照すると、スイッチブレード４０からは、音声パケットａ１５、音声パケットａ１６、音声パケットａ１７、音声パケットａ１８、蓄積パケットｂ３、音声パケットａ１９、遅延測定用パケットｄ１、音声パケットａ２０の順に出力されている。
【００５０】
音声パケットａ１６が音声処理ブレード３０において生成された時点から、音声パケットａ１６がスイッチブレード４０から出力された時点までの遅延時間ｔｄは、許容遅延時間長（例えば時間ｔｉｎｔの３倍）以下である。音声パケットａ１７及びａ１８における遅延時間ｔｄも許容遅延時間長以下である。音声パケットａ１８と音声パケットａ１９との間には蓄積パケットｂ３が存在するが、音声パケットａ１９の遅延時間ｔｄ１は、許容遅延時間長以下である。このように、音声パケット同士の間隔は許容遅延時間長以下となっており、通話品質が一定以上に保たれる。
【００５１】
パケット送出制御部２３は、時刻ｔｕ１において蓄積・送出部２４に対してパケットｂ３の送出を指示した後、後続の蓄積パケット（図示せず）を、例えば音声パケットの出力間隔ｔｉｎｔの６倍の間隔で送出するように指示する。パケット送出制御部１２は、時刻ｔｕ２において制御パケットｃ３を送出するように装置制御部１４に対して指示した後、後続の制御パケット（図示せず）を、例えば音声パケットの出力間隔ｔｉｎｔの６倍の間隔で送出するように指示する。
【００５２】
遅延測定用パケット生成部３３が、遅延測定用パケットを周期的に生成することにより、図２に示されるパケット出力制御処理が周期的に反復される。
【００５３】
図４に示されるように、測定パケットｄ１が音声処理ブレード３０において生成された時点から、測定パケットｄ１がスイッチブレード４０から出力された時点までの遅延時間ｔｄ１は、許容遅延時間長（例えば時間ｔｉｎｔの３倍）以下である。この場合、図２に示されるパケット出力制御処理は終了する（ステップＳ４）。
【００５４】
ステップＳ４において遅延時間が許容遅延時間長以下であると判定されたときに、スイッチブレード４０のパケット揺らぎ抑制制御部４５は、例えば当該判定時点から所定時間経過後にパケット送出制御部１２及び２３に対して非音声パケット送出間隔拡大の解除指示を与える。
【００５５】
上記したように、本実施例のゲートウェイ装置１においては、以下の処理を行う。音声処理ブレード３０において遅延測定用パケット生成部３３が遅延測定用パケットを生成する。遅延測定用パケット生成部３３は、当該生成時刻を遅延測定用パケットに含めてスイッチブレード４０のＮＷスイッチ４２に供給する。遅延測定部４４は、遅延測定用パケットのＮＷスイッチ４２からの出力時刻を取得し、生成時刻との差分を実測遅延時間として測定する。パケット揺らぎ抑制制御部４５は、実測遅延時間が所定の許容遅延時間長を超えていると判定したときに非音声パケットの出力制御を行なう。詳細には、パケット揺らぎ抑制制御部４５は、制御ブレード１０のパケット送出制御部１２と、データ蓄積・送出ブレード２０のパケット送出制御部２３とに対して、非音声パケット出力制御のための指示を発する。
【００５６】
当該指示は、例えば、非音声パケットの送出の遅延、非音声パケットの送出間隔の調整、及び非音声パケットの分割のうちのいずれかを指示するものである。非音声パケット送出間隔の拡大の場合には、パケット揺らぎ抑制制御部４５が、パケット送出制御部１２及び２３に対して送出時刻を指示し得る。なお、各ブレード１０、２０、３０及び４０の時刻は、クロック生成部１１から供給されたクロック信号に基づいて生成されており、各ブレードにおける現在時刻は一致している。
【００５７】
かかる処理により、蓄積パケットや制御パケットなどの非音声パケットの送出間隔が拡大され、ＮＷスイッチ４２からの音声パケットの送出間隔が短縮される結果、パケットの揺らぎ量が低減され、通話品質が一定以上に保たれる。このように、本実施例のゲートウェイ装置１によれば、通話品質を低下させることなく音声パケット及び非音声パケットを送信できる。
【００５８】
上記実施例は、非音声パケット送出間隔の拡大によって、非音声パケットの送信を制御した場合の例であるが、非音声パケット送出の遅延、又は非音声パケットの分割によってパケットの送信を制御することもできる。パケット送出の遅延による制御の場合、パケット揺らぎ抑制制御部４５は、制御ブレード１０のパケット送出制御部１２及びデータ蓄積・送出ブレード２０のパケット送出制御部２３に対して、例えば音声パケットの出力間隔ｔｉｎｔの５０倍などの所定時間に亘ってパケットの送信を停止する指示を発する。パケット送出制御部１２及びパケット送出制御部２３の各々はこの所定時間に亘って蓄積／制御パケットの送信を停止する。かかる動作によって、音声パケットの遅延量を抑え、通話品質を一定以上に保つことができる。非音声パケットの分割による制御の場合、パケット揺らぎ抑制制御部４５は、制御ブレード１０のパケット送出制御部１２及びデータ蓄積・送出ブレード２０のパケット送出制御部２３に対して、非音声パケットのサイズを例えば音声パケットのサイズと同じ又はそれ以下などの所定サイズにて送信する指示を発する。パケット送出制御部１２及びパケット送出制御部２３の各々はこの所定サイズにて非音声パケットを送信する。かかる動作によって、音声パケットの遅延量を抑え、通話品質を一定以上に保つことができる。
【符号の説明】
【００５９】
１  ゲートウェイ装置
１０  制御ブレード（非音声パケット送受信部）
１１  クロック生成部
１２  パケット送出制御部（供給タイミング制御部）
１３  ファイル管理部
１４  装置制御部
１５  システム内時刻管理部
２０  データ蓄積・送出ブレード（非音声パケット送受信部）
２１  ＰＫＧ制御部
２２  システム内時刻管理部
２３  パケット送出制御部（供給タイミング制御部）
２４  蓄積・送出部
３０  音声処理ブレード（音声パケット送受信部）
３１  ＰＫＧ制御部
３２  システム内時刻管理部
３３  遅延測定用パケット生成部
３４  音声処理部
４０  スイッチブレード（中継部）
４１  ＰＫＧ制御部
４２  ＮＷスイッチ
４３  システム内時刻管理部
４４  遅延測定部
４５  パケット揺らぎ抑制制御部
５０  ＩＰネットワーク
６０  電話網
【図１】
2012209851.tif 000003
【図２】
2012209851.tif 000004
【図３】
2012209851.tif 000005
【図４】
2012209851.tif 000006